(57)【要約】【課題】回路ブロックがリセットされたか否かを判定するリセット判定処理の汎用性を向上した画像表示装置を提供する。【解決手段】画像表示装置（プロジェクター１）は、光変調装置（液晶ライトバルブ１２Ｒ，１２Ｇ，１２Ｂ）と、光変調装置を駆動する駆動回路（ライトバルブ駆動回路１４）と、駆動回路を制御する制御回路２０とを備えた画像表示装置であって、駆動回路は、駆動回路をリセットするためのリセット信号を受け付けるリセット信号受付部と、リセット信号受付部が受け付けたリセット信号によってリセットされ、且つ特定の機能が割り付けられていない所定のレジスターを有し、制御回路２０は、所定のレジスターに対して所定の値の書き込みと読み出しとを行い、値を比較することで、駆動回路がリセットされたか否かを判定するリセット判定部を有する。【選択図】図１
2012022165.tif 000002
【特許請求の範囲】
【請求項１】
光変調装置と、前記光変調装置を駆動する駆動回路と、前記駆動回路を制御する制御回路とを備えた画像表示装置であって、
前記駆動回路は、
前記駆動回路をリセットするためのリセット信号を受け付けるリセット信号受付部と、
前記リセット信号受付部が受け付けた前記リセット信号によってリセットされ、且つ特定の機能が割り付けられていない所定のレジスターとを有し、
前記制御回路は、
前記所定のレジスターに対して所定の値の書き込みと読み出しとを行い、値を比較することで、前記駆動回路がリセットされたか否かを判定するリセット判定部を有することを特徴とする画像表示装置。
【請求項２】
請求項１に記載の画像表示装置であって、
前記制御回路は、前記リセット判定部によって前記駆動回路がリセットされたと判定した場合に、前記駆動回路に対して所定の設定を行う再設定部をさらに有することを特徴とする画像表示装置。
【請求項３】
請求項２に記載の画像表示装置であって、
前記再設定部が行う前記所定の設定は、前記画像表示装置の起動時に前記制御回路が前記駆動回路に対して設定する起動時設定と同様の設定とすることを特徴とする画像表示装置。
【請求項４】
請求項１乃至３のいずれか一項に記載の画像表示装置であって、
放電型の光源ランプを光源として有することを特徴とする画像表示装置。
【請求項５】
請求項１乃至４のいずれか一項に記載の画像表示装置であって、
前記光変調装置は、液晶パネルによって変調を行うことを特徴とする画像表示装置。
【請求項６】
光変調装置と、前記光変調装置を駆動する駆動回路と、前記駆動回路を制御する制御回路とを備えたプロジェクターであって、
前記駆動回路は、
前記駆動回路をリセットするためのリセット信号を受け付けるリセット信号受付部と、
前記リセット信号受付部が受け付けた前記リセット信号によってリセットされ、且つ特定の機能が割り付けられていない所定のレジスターとを有し、
前記制御回路は、
前記所定のレジスターに対して所定の値の書き込みと読み出しとを行い、値を比較することで、前記駆動回路がリセットされたか否かを判定するリセット判定部を有することを特徴とするプロジェクター。
【請求項７】
光変調装置と、前記光変調装置を駆動する駆動回路と、前記駆動回路を制御する制御回路とを備え、前記駆動回路は、前記駆動回路をリセットするためのリセット信号を受け付けるリセット信号受付部と、前記リセット信号受付部が受け付けた前記リセット信号によってリセットされ、且つ特定の機能が割り付けられていない所定のレジスターとを有する画像表示装置の制御方法であって、
前記制御回路が、前記所定のレジスターに所定の値の書き込みを行う書込ステップと、
前記制御回路が、前記所定のレジスターの値を読み出す読出ステップと、
前記制御回路が、前記書込ステップで書き込んだ前記所定の値と前記読出ステップで読み出した値とを比較して、前記駆動回路がリセットされたか否かを判定するリセット判定ステップと、
を有することを特徴とする画像表示装置の制御方法。
【発明の詳細な説明】
【技術分野】
【０００１】
本発明は、画像表示装置、プロジェクター、および画像表示装置の制御方法に関する。
【背景技術】
【０００２】
従来、複数の集積回路（ＩＣ）等の回路ブロックによって構成された画像表示装置が知られている。このような画像表示装置は、ノイズによって誤動作する場合があった。例えば、表示のための回路ブロックのリセット信号端子にノイズが乗ると、その表示回路ブロックがリセット（初期化）され、画像が正しく表示されなくなってしまう場合があった。
【０００３】
そこで、特許文献１には、点灯時にノイズを発生する放電式の光源が点灯された後に、所定のデータの読み出しおよび設定を行うプロジェクター（画像表示装置）が開示されている。しかしながら、このようなプロジェクターでは、光源を点灯しても所定のデータが設定されるまでの間は、投写画像が正しく表示されないという問題があった。
【０００４】
このため、回路ブロックがノイズによってリセットされたか否かを、制御部が、回路ブロックの所定のレジスターに設定した値を読み出して正当性を確認して判定する「リセット判定処理」を備えた画像表示装置が知られている。このような画像表示装置では、回路ブロックがリセットされていた場合には、制御部は、回路ブロックのレジスターにデータを再設定する。
【先行技術文献】
【特許文献】
【０００５】
【特許文献１】特開２００６−３６０７号公報
【発明の概要】
【発明が解決しようとする課題】
【０００６】
しかしながら、このような画像表示装置においては、リセット判定処理で使用する所定のレジスターには所定の機能が割り付けられているため、所定のレジスターに設定する値は、その回路ブロックの制御方法によって制限されていた。このため、回路ブロックを他の機種の画像表示装置に流用する場合、その回路ブロックの制御方法が変更されると、所定のレジスターに設定する値も変更されてしまう場合があった。このように、回路ブロックがリセットされたか否かを、所定のレジスターの正当性によって判定するリセット判定処理は、機種毎に変更される必要があり、汎用性が低いという課題があった。また、リセット判定処理を変更するために、画像表示装置のソフトウェア開発工数が増大してしまっていた。
【課題を解決するための手段】
【０００７】
本発明は、上述の課題の少なくとも一部を解決するためになされたものであり、以下の形態または適用例として実現することが可能である。
【０００８】
［適用例１］本適用例に係る画像表示装置は、光変調装置と、前記光変調装置を駆動する駆動回路と、前記駆動回路を制御する制御回路とを備えた画像表示装置であって、前記駆動回路は、前記駆動回路をリセットするためのリセット信号を受け付けるリセット信号受付部と、前記リセット信号受付部が受け付けた前記リセット信号によってリセットされ、且つ特定の機能が割り付けられていない所定のレジスターとを有し、前記制御回路は、前記所定のレジスターに対して所定の値の書き込みと読み出しとを行い、値を比較することで、前記駆動回路がリセットされたか否かを判定するリセット判定部を有することを特徴とする。
【０００９】
このような画像表示装置によれば、光変調装置を駆動する駆動回路と制御回路とを備えている。駆動回路は、リセット信号によってリセットされる。また、駆動回路は、特定の機能が割り付けられていない所定のレジスターを有しており、当該所定のレジスターは、リセット信号によってリセットされる。制御回路は、リセット判定部を有しており、当該リセット判定部は、駆動回路の所定のレジスターに対して所定の値の書き込みと読み出しと行い、値を比較することで、駆動回路がリセットされたか否かを判定する。これにより、駆動回路がリセットされたか否かを容易に判定することができる。また、駆動回路の所定のレジスターには特定の機能が割り付けられていないため、所定のレジスターの値の正当性によってリセットされたか否かを判定するリセット判定部（リセット判定処理）の汎用性が向上する。つまり、画像表示装置の機種毎に、リセット判定部を変更する必要がなくなるため、リセット判定部の流用性が向上し、ソフトウェア開発工数を低減することができる。
【００１０】
［適用例２］上記適用例に係る画像表示装置において、前記制御回路は、前記リセット判定部によって前記駆動回路がリセットされたと判定した場合に、前記駆動回路に対して所定の設定を行う再設定部をさらに有することを特徴とする。
【００１１】
このような画像表示装置によれば、制御回路は、再設定部を有している。再設定部は、リセット判定部によって駆動回路が何らかの要因でリセットされたと判定した場合に、駆動回路に対して所定の設定を行うことができる。
【００１２】
［適用例３］上記適用例に係る画像表示装置において、前記再設定部が行う前記所定の設定は、前記画像表示装置の起動時に前記制御回路が前記駆動回路に対して設定する起動時設定と同様の設定とすることを特徴とする。
【００１３】
このような画像表示装置によれば、所定の設定は、画像表示装置の起動時に制御回路が駆動回路に対して設定する起動時設定と同様の設定とする。これにより、駆動回路が何らかの要因によってリセットされた場合に、制御回路は、駆動回路に対して起動時設定を再度行うことができる。
【００１４】
［適用例４］上記適用例に係る画像表示装置において、放電型の光源ランプを光源として有することを特徴とする。
【００１５】
このような画像表示装置によれば、光源として放電型の光源ランプを有する。このような画像表示装置においては、光源ランプを点灯する際にノイズが発生し、そのノイズによって駆動回路がリセットされる場合があるが、リセット判定部によって、駆動回路がリセットされたか否かを判定することが可能になる。
【００１６】
［適用例５］上記適用例に係る画像表示装置において、前記光変調装置は、液晶パネルによって変調を行うことを特徴とする。
【００１７】
［適用例６］本適用例に係るプロジェクターは、光変調装置と、前記光変調装置を駆動する駆動回路と、前記駆動回路を制御する制御回路とを備えたプロジェクターであって、前記駆動回路は、前記駆動回路をリセットするためのリセット信号を受け付けるリセット信号受付部と、前記リセット信号受付部が受け付けた前記リセット信号によってリセットされ、且つ特定の機能が割り付けられていない所定のレジスターとを有し、前記制御回路は、前記所定のレジスターに対して所定の値の書き込みと読み出しとを行い、値を比較することで、前記駆動回路がリセットされたか否かを判定するリセット判定部を有することを特徴とする。
【００１８】
このようなプロジェクターによれば、駆動回路がリセットされたか否かを容易に判定することができる。また、駆動回路の所定のレジスターには特定の機能が割り付けられていないため、所定のレジスターの値の正当性によってリセットされたか否かを判定するリセット判定部の汎用性が向上する。つまり、プロジェクターの機種毎に、リセット判定部を変更する必要がなくなるため、リセット判定部の流用性が向上し、ソフトウェア開発工数を低減することができる。
【００１９】
［適用例７］本適用例に係る画像表示装置の制御方法は、光変調装置と、前記光変調装置を駆動する駆動回路と、前記駆動回路を制御する制御回路とを備え、前記駆動回路は、前記駆動回路をリセットするためのリセット信号を受け付けるリセット信号受付部と、前記リセット信号受付部が受け付けた前記リセット信号によってリセットされ、且つ特定の機能が割り付けられていない所定のレジスターとを有する画像表示装置の制御方法であって、前記制御回路が、前記所定のレジスターに所定の値の書き込みを行う書込ステップと、前記制御回路が、前記所定のレジスターの値を読み出す読出ステップと、前記制御回路が、前記書込ステップで書き込んだ前記所定の値と前記読出ステップで読み出した値とを比較して、前記駆動回路がリセットされたか否かを判定するリセット判定ステップと、を有することを特徴とする。
【００２０】
このような画像表示装置の制御方法によれば、駆動回路がリセットされたか否かを容易に判定することができる。また、駆動回路の所定のレジスターには特定の機能が割り付けられていないため、所定のレジスターの値の正当性によってリセットされたか否かを判定するリセット判定部の汎用性が向上する。つまり、画像表示装置の機種毎に、リセット判定部を変更する必要がなくなるため、リセット判定部の流用性が向上し、ソフトウェア開発工数を低減することができる。
【００２１】
また、上述した画像表示装置およびその制御方法が画像表示装置に備えられたコンピューターを用いて構築されている場合には、上記形態および上記適用例は、その機能を実現するためのプログラム、あるいは当該プログラムを前記コンピューターで読み取り可能に記録した記録媒体等の態様で構成することも可能である。記録媒体としては、フレキシブルディスクやハードディスク、ＣＤ−ＲＯＭ（Compact Disk Read Only Memory）、ＤＶＤ（Digital Versatile Disk）、Ｂｌｕ−ｒａｙ  Ｄｉｓｃ（登録商標）、光磁気ディスク、不揮発性メモリーカード、画像表示装置の内部記憶装置（ＲＡＭ（Random Access Memory）やＲＯＭ（Read Only Memory）等の半導体メモリー）、及び外部記憶装置（ＵＳＢ（Universal Serial Bus）メモリー等）等、前記コンピューターが読み取り可能な種々の媒体を利用することができる。
【図面の簡単な説明】
【００２２】
【図１】実施形態に係るプロジェクターの概略構成を示すブロック図。
【図２】プロジェクターの起動時の処理のフローチャート。
【図３】判定用レジスターの値についての説明図であり、（ａ）は、プロジェクターの電源オンによるハードウェアリセット時の判定用レジスターの状態を示す図、（ｂ）は、所定の値設定時の判定用レジスターの状態を示す図、（ｃ）は、ノイズによりリセットされた場合の判定用レジスターの状態を示す図、（ｄ）は、再設定した際の判定用レジスターの状態を示す図。
【発明を実施するための形態】
【００２３】
以下、実施形態について説明する。
【００２４】
（実施形態）
本実施形態では、画像表示装置の実施形態として、画像信号に基づく画像光を投写して、外部のスクリーン等に表示するプロジェクターについて説明する。
【００２５】
図１は、本実施形態に係るプロジェクターの概略構成を示すブロック図である。図１を使用して、プロジェクター１の内部構成について説明する。
【００２６】
プロジェクター１は、画像投写部１０、制御回路２０、操作受付部２１、光源制御部２２、画像信号入力部３１等を備えている。
【００２７】
画像投写部１０は、光源１１、光変調装置としての３つの液晶ライトバルブ１２Ｒ，１２Ｇ，１２Ｂ、投写光学系としての投写レンズ１３、駆動回路としてのライトバルブ駆動回路１４等で構成されている。画像投写部１０は、光源１１から射出された光を、液晶ライトバルブ１２Ｒ，１２Ｇ，１２Ｂで変調して画像光を形成し、この画像を投写レンズ１３から投写して外部のスクリーンＳＣ等に表示する。
【００２８】
光源１１は、超高圧水銀ランプやメタルハライドランプ等からなる放電型の光源ランプ１１ａと、光源ランプ１１ａが放射した光を液晶ライトバルブ１２Ｒ，１２Ｇ，１２Ｂ側に反射するリフレクター１１ｂとを含んで構成されている。光源１１から射出された光は、図示しないインテグレーター光学系によって輝度分布が略均一な光に変換され、図示しない色分離光学系によって光の３原色である赤色（Ｒ）、緑色（Ｇ）、青色（Ｂ）の各色光成分に分離された後、それぞれ液晶ライトバルブ１２Ｒ，１２Ｇ，１２Ｂに入射する。
【００２９】
液晶ライトバルブ１２Ｒ，１２Ｇ，１２Ｂは、一対の透明基板間に液晶が封入された液晶パネル等によって構成される。液晶ライトバルブ１２Ｒ，１２Ｇ，１２Ｂには、マトリクス状に配列された複数の画素（図示せず）が形成されており、液晶に対して画素毎に駆動電圧を印加可能になっている。ライトバルブ駆動回路１４が、入力される画像データに応じた駆動電圧を各画素に印加すると、各画素は、画像データに応じた光透過率に設定される。このため、光源１１から射出された光は、この液晶ライトバルブ１２Ｒ，１２Ｇ，１２Ｂを透過することによって変調され、画像データに応じた画像光が色光毎に形成される。形成された各色の画像光は、図示しない色合成光学系によって画素毎に合成されてカラーの画像光となった後、投写レンズ１３から投写される。
【００３０】
ここで、ライトバルブ駆動回路１４について説明する。ライトバルブ駆動回路１４は、ＩＣによって構成されている。ライトバルブ駆動回路１４は、制御回路２０から画像データを入力し、その画像データに応じて液晶ライトバルブ１２Ｒ，１２Ｇ，１２Ｂを駆動する。また、ライトバルブ駆動回路１４は、制御回路２０によって制御される。例えば、制御回路２０は、ライトバルブ駆動回路１４に備わるレジスターに対して書き込みや読み出しを行うことで、ライトバルブ駆動回路１４を制御する。なお、制御のための制御信号の通信方式は、Ｉ２Ｃ（Inter−Integrated Circuit）や調歩同期式通信、クロック同期式シリアル通信等としてもよいし、その他の通信方式としてもよい。
【００３１】
さらに、ライトバルブ駆動回路１４は、制御回路２０からのリセット信号を受け付けるリセット信号受付端子を備える。リセット信号受付端子によってリセット信号を受け付けると、ライトバルブ駆動回路１４は内部回路のリセットや内部レジスターのリセットを行う。このリセット信号受付端子がリセット信号受付部に相当する。
【００３２】
ライトバルブ駆動回路１４は、内部レジスターとして、一般レジスター１４ａと判定用レジスター１４ｂとを有している。一般レジスター１４ａとは、例えば、液晶ライトバルブ１２Ｒ，１２Ｇ，１２Ｂを駆動するために、画像データ信号のＤＣバイアスを調整するレジスターや、ゲイン調整を行うレジスター等の機能が割り付けられているレジスターを示す。また、判定用レジスター１４ｂとは、特定の機能が割り付けられていない汎用レジスターである。本実施形態では判定用レジスター１４ｂは、１バイトの汎用レジスターとし、ライトバルブ駆動回路１４がリセットされたか否かを判定するために用いられる。ライトバルブ駆動回路１４にリセット信号が入力されると、一般レジスター１４ａおよび判定用レジスター１４ｂはリセットされ、初期値（リセット値）が設定される。ここで、判定用レジスター１４ｂが所定のレジスターに相当する。なお、判定用レジスター１４ｂは、１バイトに限定するものではない。
【００３３】
制御回路２０は、ＣＰＵ（Central Processing Unit）、各種データの一時記憶等に用いられるＲＡＭ、および、マスクＲＯＭやフラッシュメモリー、ＦｅＲＡＭ（Ferroelectric RAM：強誘電体メモリー）等の不揮発性のメモリー等（いずれも図示せず）を備え、コンピューターとして機能する。
【００３４】
また、本実施形態では、制御回路２０は、制御部２０ａおよび画像処理部２０ｂを有している。制御部２０ａは、上述したハードウェアおよびソフトウェアで構成されており、ＣＰＵが不揮発性のメモリーに記憶されている制御プログラムに従って動作することによって、プロジェクター１の動作を統括制御する。
【００３５】
画像処理部２０ｂは、上述したハードウェアおよびソフトウェアで構成されており、画像信号入力部３１から入力される画像データを、液晶ライトバルブ１２Ｒ，１２Ｇ，１２Ｂの各画素の階調を表す画像データに変換する。ここで、変換された画像データは、液晶ライトバルブ１２Ｒ，１２Ｇ，１２Ｂのすべての画素に対応する複数の画素値によって構成されている。画素値とは、対応する画素の光透過率を定めるものであり、この画素値によって、各画素を透過する光の強弱（階調）が規定される。また、画像処理部２０ｂは、変換した画像データに対して、明るさ、コントラスト、シャープネス、色合い等を調整するための画質調整処理等を行う。さらに、画像処理部２０ｂでは、必要に応じてＯＳＤ（オンスクリーンディスプレイ）画像を画像データに重畳する処理を行う。画像処理部２０ｂで処理された画像データは、ライトバルブ駆動回路１４に出力される。
【００３６】
操作受付部２１は、プロジェクター１に対して各種指示を行うための複数のキー等を備えている。操作受付部２１が備えるキーとしては、電源のオン／オフを行うための「電源キー」や、入力された画像信号を切り替えるための「入力切替キー」、各種設定を行うためのメニュー画面の表示／非表示を切り替える「メニューキー」、メニュー画面におけるカーソルの移動等に用いられる「カーソルキー」、各種設定を決定するための「決定キー」等がある。ユーザーが操作受付部２１を操作すると、操作受付部２１は、ユーザーの操作内容に応じた制御情報を制御回路２０の制御部２０ａに出力する。なお、操作受付部２１は、リモコン信号受信部（図示せず）と遠隔操作が可能なリモートコントローラー（図示せず）を有した構成としてもよい。この場合、リモートコントローラーは、ユーザーの操作内容に応じた赤外線等の操作信号を発し、リモコン信号受信部がこれを受信して制御情報として制御部２０ａに伝達する。
【００３７】
光源制御部２２は、制御回路２０の制御部２０ａの指示に基づいて、光源１１に対する電力の供給と停止とを制御し、光源１１の点灯および消灯を切り替える。
【００３８】
画像信号入力部３１には、パーソナルコンピューターやビデオ再生装置、メモリーカード、ＵＳＢストレージ、デジタルカメラ等、外部の画像供給装置（図示せず）とケーブルを介した接続を行うための各種の画像入力端子が備えられており、画像供給装置から画像信号が入力される。画像信号入力部３１は、入力される画像信号を、画像処理部２０ｂで処理可能な形式の画像データに変換して、制御回路２０の画像処理部２０ｂに出力する。
【００３９】
ライトバルブ駆動回路１４が、制御回路２０の画像処理部２０ｂから入力される画像データに従って液晶ライトバルブ１２Ｒ，１２Ｇ，１２Ｂを駆動すると、液晶ライトバルブ１２Ｒ，１２Ｇ，１２Ｂは、光源１１から入射する光を、画像データに応じて画像光に変調し、この画像光が投写レンズ１３から投写される。
【００４０】
次に、操作受付部２１に備わる電源キーが押下され、ハードウェアリセットが行われた後にプロジェクター１が起動して投写する際の処理について説明する。
図２は、本実施形態に係るプロジェクター１の起動時の処理のフローチャートである。
【００４１】
電源キーが押下されることで電源オンがなされると、制御回路２０は、ライトバルブ駆動回路１４の一般レジスター１４ａに液晶ライトバルブ１２Ｒ，１２Ｇ，１２Ｂを駆動するための値を設定する（ステップＳ１０１）。次に、制御回路２０は、ライトバルブ駆動回路１４の判定用レジスター１４ｂに所定の値を設定する（ステップＳ１０２）。本実施形態では、所定の値はＡＡｈ（１６進数）とする。この一般レジスター１４ａおよび判定用レジスター１４ｂに対する設定が起動時設定に相当する。
【００４２】
制御回路２０は、起動時の画面の画像データをライトバルブ駆動回路１４に出力し、ライトバルブ駆動回路１４は、液晶ライトバルブ１２Ｒ，１２Ｇ，１２Ｂを画像データに応じて駆動する（ステップＳ１０３）。ここで、起動時の画面は、例えば、青色の全画面表示とし、ＯＳＤによって画像処理部２０ｂから出力するものとする。なお、起動時の画面はこれに限定するものではない。そして、制御回路２０は、光源制御部２２に指示を出して、光源１１を点灯させる（ステップＳ１０４）。光源１１は、上述したように放電型の光源ランプ１１ａを有して構成されている。このため、点灯時には、ランプ駆動部のイグナイタ回路（いずれも図示せず）は、光源ランプ１１ａの電極間に高電圧を印加して、絶縁破壊による放電経路の形成を行うため、高周波ノイズが発生する場合がある。
【００４３】
制御回路２０は、判定用レジスター１４ｂの値が設定した値と一致するか否かを判定する（ステップＳ１０５）。即ち、判定用レジスター１４ｂの値がＡＡｈか否かを判定する。判定用レジスター１４ｂの値が設定した値と一致した場合（ステップＳ１０５：ＹＥＳ）、制御回路２０は、画像信号入力部３１から入力される入力画像信号に基づく画像データをライトバルブ駆動回路１４に出力し、ライトバルブ駆動回路１４は、液晶ライトバルブ１２Ｒ，１２Ｇ，１２Ｂを画像データに応じて駆動する（ステップＳ１０６）。そして、プロジェクター１の起動時の処理を終了する。
【００４４】
判定用レジスター１４ｂの値が設定した値と一致していない場合（ステップＳ１０５：ＮＯ）、制御回路２０は、ライトバルブ駆動回路１４の一般レジスター１４ａに液晶ライトバルブ１２Ｒ，１２Ｇ，１２Ｂを駆動するための値を再設定する（ステップＳ１０７）。次に、制御回路２０は、ライトバルブ駆動回路１４の判定用レジスター１４ｂに所定の値（ＡＡｈ）を再設定する（ステップＳ１０８）。そして、ステップＳ１０６に移行して、ライトバルブ駆動回路１４は、入力画像信号に基づく画像データに応じて液晶ライトバルブ１２Ｒ，１２Ｇ，１２Ｂを駆動する。そして、プロジェクター１の起動時の処理を終了する。ここで、判定用レジスター１４ｂの値が設定した値と一致するか否かの判定処理が、リセット判定部に相当する。また、一般レジスター１４ａに液晶ライトバルブ１２Ｒ，１２Ｇ，１２Ｂを駆動するための値を再設定する処理と、判定用レジスター１４ｂに所定の値を再設定する処理とが再設定部に相当する。
【００４５】
ここで、ライトバルブ駆動回路１４に備わる判定用レジスター１４ｂの値の変化について説明する。
図３は、判定用レジスター１４ｂの値についての説明図であり、図３（ａ）は、プロジェクター１の電源オンによるハードウェアリセット時の判定用レジスター１４ｂの状態を示す図であり、図３（ｂ）は、所定の値設定時の判定用レジスター１４ｂの状態を示す図であり、図３（ｃ）は、ノイズによりリセットされた場合の判定用レジスター１４ｂの状態を示す図であり、図３（ｄ）は、再設定した際の判定用レジスター１４ｂの状態を示す図である。
【００４６】
図３（ａ）に示すように、プロジェクター１の電源オンによるハードウェアリセット時の判定用レジスター１４ｂ（１バイト）は、ｂｉｔ０〜ｂｉｔ７まで全て０であり、００ｈとなっている。図３（ｂ）に示すように、プロジェクター１の初期設定時、即ち所定の値が書き込まれたときの判定用レジスター１４ｂは、ｂｉｔ１，ｂｉｔ３，ｂｉｔ５，ｂｉｔ７に１が書き込まれており、ＡＡｈとなっている。図３（ｃ）に示すように、プロジェクター１のライトバルブ駆動回路１４がノイズ等によりリセットされた場合の判定用レジスター１４ｂは、ｂｉｔ０〜ｂｉｔ７まで全て０であり、００ｈとなっている。図３（ｄ）に示すように、プロジェクター１の制御回路２０がライトバルブ駆動回路１４に再設定した際の判定用レジスター１４ｂは、ｂｉｔ１，ｂｉｔ３，ｂｉｔ５，ｂｉｔ７に１が書き込まれており、ＡＡｈとなっている。
【００４７】
上述したように、プロジェクター１の制御回路２０は、判定用レジスター１４ｂの値の変化により、ライトバルブ駆動回路１４がリセットされたか否かを判定することができる。
【００４８】
上述した実施形態によれば、以下の効果が得られる。
（１）プロジェクター１の制御回路２０は、起動時にライトバルブ駆動回路１４に備わる判定用レジスター１４ｂに所定の値（ＡＡｈ）を設定し、光源１１の点灯後に判定用レジスター１４ｂの値が所定の値と一致するか否かを判定する。これにより、光源１１の点灯に伴うノイズによって、ライトバルブ駆動回路１４がリセットされたか否かを容易に判定することができる。また、この判定用レジスター１４ｂには、特定の機能が割り付けられていないため、プロジェクター１の機能に対する影響が無く、判定用レジスター１４ｂの値を使用するリセット判定処理の汎用性が向上する。つまり、プロジェクターの機種毎に、リセット判定処理で使用する判定用レジスター１４ｂを変更したり、設定する値を変更したりする必要がないため、リセット判定処理の汎用性が向上する。そして、プロジェクターの機種毎に、リセット判定処理を変更する必要がなくなるため、リセット判定処理の流用性が向上し、ソフトウェア開発工数を低減することができる。
【００４９】
（２）プロジェクター１の制御回路２０は、光源１１の点灯後、リセット判定処理を行ってライトバルブ駆動回路１４がリセットされたと判断した場合に、ライトバルブ駆動回路１４の一般レジスター１４ａに、液晶ライトバルブ１２Ｒ，１２Ｇ，１２Ｂを駆動するための起動時と同様の値を再設定する。これにより、光源１１の点灯に伴うノイズ等によってライトバルブ駆動回路１４がリセットされ、液晶ライトバルブ１２Ｒ，１２Ｇ，１２Ｂを正常に駆動できなくなった場合にも、再度、ライトバルブ駆動回路１４の一般レジスター１４ａに設定をすることで、液晶ライトバルブ１２Ｒ，１２Ｇ，１２Ｂを正常に駆動することができる。
【００５０】
なお、上述した実施形態に限定されず、種々の変更や改良等を加えて実施することが可能である。変形例を以下に述べる。
【００５１】
（変形例１）上記実施形態では、リセット判定処理は、プロジェクター１の起動時の光源１１の点灯に伴うノイズによって、ライトバルブ駆動回路１４がリセットされたか否かを判定したが、光源１１の点灯時以外においても、リセット判定処理を行ってもよい。例えば、モーター等を有するプロジェクターにおいては、モーターの動作の後でリセット判定処理を行うことで、モーターの動作に伴うノイズによって、ライトバルブ駆動回路１４がリセットされたか否かを判定して、再設定することが可能となる。
【００５２】
（変形例２）上記実施形態では、リセット信号は、制御回路２０が出力するものとしたが、他の回路（図示せず）から出力するものとしてもよい。
【００５３】
（変形例３）上記実施形態では、ライトバルブ駆動回路１４は、ＩＣ（集積回路）としたが、これに限定するものではない。
【００５４】
（変形例４）上記実施形態では、プロジェクター１を例にして説明しているが、光変調装置と、光変調装置を駆動する駆動回路と、駆動回路を制御する制御回路と、を備えた画像表示装置であれば適用することが可能である。例えば、透過型のスクリーンを一体的に備えたリアプロジェクター等に適用することも可能である。
【００５５】
（変形例５）上記実施形態では、光変調装置として、透過型の液晶ライトバルブ１２Ｒ，１２Ｇ，１２Ｂを用いているが、反射型の液晶ライトバルブ等、反射型の光変調装置を用いることも可能である。また、入射した光の射出方向を、画素としてのマイクロミラー毎に制御することにより、光源から射出した光を変調する微小ミラーアレイデバイス等を用いることもできる。
【符号の説明】
【００５６】
１…プロジェクター、１０…画像投写部、１１…光源、１２Ｒ，１２Ｇ，１２Ｂ…液晶ライトバルブ、１３…投写レンズ、１４…ライトバルブ駆動回路、１４ａ…一般レジスター、１４ｂ…判定用レジスター、２０…制御回路、２０ａ…制御部、２０ｂ…画像処理部、２１…操作受付部、２２…光源制御部、３１…画像信号入力部。
【図１】
2012022165.tif 000003
【図２】
2012022165.tif 000004
【図３】
2012022165.tif 000005